(57)【要約】【課題】複数色の発光ダイオードにより、陳列商品に対応した色合いの照明光に調節可能とすることにより、商品の陳列効果や購買意欲を高めることができるようにした照明装置を提供する。【解決手段】ケース１４内に収容した複数のモジュール２２に、白色の発光ダイオードと赤色の発光ダイオードと緑色の発光ダイオードとを設け、これら各色の発光ダイオードの電流値を、定電流電源２８に接続した電流調整器２９〜３１により調整しうるようにする。【選択図】  図５
2009240381.tif 000002
【特許請求の範囲】
【請求項１】
複数の発光ダイオードをケース内に収容してなる商品陳列棚用照明装置において、
前記複数の発光ダイオードを、白色の発光ダイオードと赤色の発光ダイオードと緑色の発光ダイオードとからなるものとし、これら各色の発光ダイオードの電流値を、電流調整器により調整しうるようにしたことを特徴とする商品陳列棚用照明装置。
【請求項２】
各色の発光ダイオードを有するモジュールを、プリント基板上に複数配列し、このプリント基板をケース内に収容するとともに、各モジュールにおける同色の発光ダイオードの電流値を、一つの電流調整器により調整しうるようにしたことを特徴とする請求項１に記載の商品陳列棚用照明装置。
【請求項３】
一つのモジュールが、複数の白色の発光ダイオードと、各１個の赤色と緑色の発光ダイオードを有することを特徴とする請求項２に記載の商品陳列棚用照明装置。
【請求項４】
ケースを、外周面に放熱フィンを有する熱伝導性の高い材料により形成したことを特徴とする請求項１ないし３のいずれかに記載の商品陳列棚用照明装置。
【請求項５】
各色の発光ダイオードの電流値の割合を維持したまま、該各色の発光ダイオードの電流値を調整する全体電流調整器を設けたことを特徴とする請求項１ないし４のいずれかに記載の商品陳列棚用照明装置。
【発明の詳細な説明】
【技術分野】
【０００１】
本発明は、例えば冷蔵ショーケース等の商品陳列棚の照明装置に係わり、特に、光源に発光ダイオードを用いた商品陳列棚用照明装置に関する。
【背景技術】
【０００２】
従来の冷蔵オープンショーケースにおける商品陳列棚の照明装置は、例えば特許文献１に記載されているように、直管型の蛍光灯ランプを用いているものが殆どであり、消費電力が比較的大きいという問題がある。
【０００３】
この問題を解決するためには、例えば特許文献２に記載されているように、本願の出願人が先に特許出願している複数の白色発光ダイオードよりなる省電力型の照明装置を使用することが考えられる。
【０００４】
【特許文献１】特開２０００−２５８０５２号公報（図３）
【特許文献２】特開２００７−２６７２３号公報（図１）
【発明の開示】
【発明が解決しようとする課題】
【０００５】
上記特許文献１及び２に記載されている照明装置は、いずれも、単色光のみの照明であるので、陳列商品の種類に対応した色合いの照明光が得られない。すなわち、例えば肉等を照明する際には、赤色系に、また野菜等を照明する際には、緑色系に、それぞれ調節可能とすれば、商品の陳列効果や、客の購買意欲を高めることができるが、単色光ではそれができないという問題がある。
【０００６】
本発明は、上記問題点を解決するためになされたもので、複数色の発光ダイオードにより、陳列商品に対応した色合いの照明光に調節可能とすることにより、商品の陳列効果や購買意欲を高めることができるようにした商品陳列棚用照明装置を提供することを目的としている。
【課題を解決するための手段】
【０００７】
上記課題を解決するために、本発明の請求項１に記載の商品陳列棚用照明装置は、
複数の発光ダイオードをケース内に収容してなる商品陳列棚用照明装置において、
前記複数の発光ダイオードを、白色の発光ダイオードと赤色の発光ダイオードと緑色の発光ダイオードとからなるものとし、これら各色の発光ダイオードの電流値を、電流調整器により調整しうるようにしたことを特徴としている。
この特徴によれば、白色の発光ダイオードと赤色の発光ダイオードと緑色の発光ダイオードの電流値を、電流調整器により調整することにより、各色の発光ダイオードの光度を調節することができる。その結果、例えば肉や野菜等、陳列商品の種類に対応した色合い、すなわち赤色系や緑色系等の照明光が得られ、商品の陳列効果や、客の購買意欲を高めることができる。
【０００８】
本発明の請求項２に記載の商品陳列棚用照明装置は、請求項１に記載の商品陳列棚用照明装置であって、
各色の発光ダイオードを有するモジュールを、プリント基板上に複数配列し、このプリント基板をケース内に収容するとともに、各モジュールにおける同色の発光ダイオードの電流値を、一つの電流調整器により調整しうるようにしたことを特徴としている。
この特徴によれば、照明装置の全領域に亘って、均一な色合いの照明光による照明が可能となる。
【０００９】
本発明の請求項３に記載の商品陳列棚用照明装置は、請求項２に記載の商品陳列棚用照明装置であって、
一つのモジュールが、複数の白色の発光ダイオードと、各１個の赤色と緑色の発光ダイオードを有することを特徴としている。
この特徴によれば、白色の発光ダイオードを複数としてあるので、照明装置全体の光量を低下させずに、その全領域を均一な色合いの照明光により照明することができる。
【００１０】
本発明の請求項４に記載の商品陳列棚用照明装置は、請求項１ないし３のいずれかに記載の商品陳列棚用照明装置であって、
ケースを、外周面に放熱フィンを有する熱伝導性の高い材料により形成したことを特徴としている。
この特徴によれば、プリント基板の熱が、熱伝導性の高いケース及びその放熱フィンにより外部に効果的に放熱され、ケース内にこもることがないので、発光ダイオードの寿命を延ばすことができる。
【００１１】
本発明の請求項５に記載の商品陳列棚用照明装置は、請求項１ないし４のいずれかに記載の商品陳列棚用照明装置であって、
各色の発光ダイオードの電流値の割合を維持したまま、該各色の発光ダイオードの電流値を調整する全体電流調整器を設けたことを特徴としている。
この特徴によれば、照明光の色合いを変えることなく、全ての発光ダイオードの光度を簡単に調節することができる。
【発明を実施するための最良の形態】
【００１２】
本発明の実施例を以下に説明する。
【実施例】
【００１３】
本発明の実施例を図面に基づいて説明すると、図１は、本発明の照明装置を備える冷蔵（冷凍）ショーケースの縦断側面図で、この冷蔵ショーケース１は、前面（図の左方）が開放された側面視ほぼコ字状をなす断熱構造の外箱２と、その内側の、同じく前面が開放されたほぼコ字状の内箱３とからなるショーケース本体４を備え、その内部空間は、前面が開放された冷蔵室５となっている。内箱３の背面板３ａには、上下複数段の商品陳列棚６が取り付けられている。
【００１４】
外箱２と内箱３との間には、通風路７が形成され、この通風路７の垂直部と底部には、それぞれ冷却装置８と送風機９が設けられている。ショーケース本体４の上側の前端部には、通風路７と連通する冷気吹出口１０が下向きに形成されている。ショーケース本体４の下側の前上部における外箱２と内箱３との間には、冷気吸込口１１が形成されている。
【００１５】
送風機９を作動させると、冷却装置８により冷却された冷気は、矢印のように、通風路７内を上方に向かって流れ、冷気吹出口１０より、下方の冷気吸込口１１に向かって吹き出される。これにより、ショーケース本体４における冷蔵室５の前面に、冷気のエアーカーテン１２が形成される。
【００１６】
各段の商品陳列棚６の前端部下面と、内箱３の上部の前端部下面とには、本発明の照明装置１３が取り付けられている。
【００１７】
照明装置１３は、図２の下面図及び図３の拡大断面図に示すように、商品陳列棚６の左右長とほぼ同じ左右寸法の、下方と左右両側方に開口する側面視ほぼ上向きコ字状断面（使用状態では下向きコ字状断面）のケース１４と、このケース１４内に収容された放熱板１５と、この放熱板１５の上面に当接する左右複数のプリント基板１６とを備え、放熱板１５と複数のプリント基板１６は、左右複数の止めねじ１７により、ケース１４内の奥面に固定されている。
【００１８】
ケース１４は、例えば熱伝導性の高いアルミニウムまたはその合金の押し出し成形品よりなり、下面には、複数の放熱フィン１８が、長手方向（左右方向）に全長に亘って形成されている。ケース１４の左右の開口面は、カバーを兼ねる、商品陳列棚６及び内箱３への取付ブラケット１９、１９により、それぞれ閉塞されている。
【００１９】
ケース１４の上端部の対向面には、左右両端が開口された内向きコ字状断面の凹溝２０、２０が、長手方向に全長に亘って形成され、この両凹溝２０には、透光板２１が、いずれか一方の側端より挿入して嵌合されている。
【００２０】
各プリント基板１６の上面（使用状態時の下面）には、図４に拡大して示すように、例えば、左右方向に並ぶ８個ずつの発光ダイオード（以下ＬＥＤと略称する）を有する複数（本実施例では６個）のモジュール２２が、左右方向に等間隔おきに実装されている。各モジュール２２の８個のＬＥＤの内、中央の２個は、赤色ＬＥＤ２３と緑色ＬＥＤ２４とされ、その両側の６個は、白色ＬＥＤ２５とされている。
【００２１】
図５は、上記各モジュール２２における各色のＬＥＤ２３、２４、２５を発光させる回路のブロック図で、ショーケース本体４の適所に設けられた光度制御装置２６には、例えば商用２００Ｖの交流電源２７に接続され、この交流電源２７を、ＡＣ／ＤＣコンバータ（図示略）等により直流２４Ｖの定電流に変換する定電流電源２８と、この定電流電源２８に接続され、全てのモジュール２２の白色ＬＥＤ２５、赤色ＬＥＤ２３及び緑色ＬＥＤ２４へのそれぞれの電流値を調整するための電流調整器２９、３０、３１が設けられている。各電流調整器２９、３０、３１は、可変抵抗器を備え、これを外部より操作することにより、各色のＬＥＤ２３、２４、２５への電流値を別々に調整しうるようになっている。
【００２２】
定電流電源２８及び各電流調整器２９、３０、３１と、各プリント基板１６とは、アノード線３２と３本の電線３３及びそれらの端末に取り付けられた雌コネクタ３４と雄コネクタ３５により接続され、各電流調整器２９、３０、３１を操作することにより、全てのモジュール２２の同色のＬＥＤの電流値を別々に調整することができる。
【００２３】
このように、電流調整器２９、３０、３１により、全てのモジュール２２の同色のＬＥＤの電流値を調整可能とすると、各色のＬＥＤ２３、２４、２５の光度を別々に調節することができるので、商品陳列棚６に陳列される商品の種類等に応じた色合いの照明光が得られる。
【００２４】
すなわち、例えば肉等を照明する際には、赤色ＬＥＤ２３の電流値を高めて、それを明るくし、赤色系の照明光とし、また、野菜等を照明する際には、緑色ＬＥＤ２４の電流値を高めて、それを明るくし、緑色系の照明光とすることができる。このようにすることにより、商品の陳列効果や、客の購買意欲を高めることができる。
【００２５】
また、白色ＬＥＤ２５の数を赤色ＬＥＤ２３や緑色ＬＥＤ２４の数よりも多くしているので、照明装置全体としての光量が低下することはない。
【００２６】
また、ケース１４を、外周面に放熱フィン１８を有する熱伝導性の高い材料により形成しているので、プリント基板１６の熱が、熱伝導性の高いケース１４及びその放熱フィン１８により外部に効果的に放熱され、ケース１４内にこもることがないので、赤色ＬＥＤ２３、緑色ＬＥＤ２４、白色ＬＥＤ２５の寿命を延ばすことができる。
【００２７】
図６は、本発明の変形例としての光度制御装置２６が適用された回路のブロック図である。上記実施例では、電流調整器２９、３０、３１により、全てのモジュール２２の同色のＬＥＤの電流値を調整可能とし、各色のＬＥＤ２３、２４、２５の光度を別々に調節することで、商品陳列棚６に陳列される商品の種類等に応じた色合いの照明光が得られるようになっていたが、例えば定電流電源２８に、全てのモジュール２２の白色ＬＥＤ２５、赤色ＬＥＤ２３及び緑色ＬＥＤ２４へのそれぞれの電流値を調整するための電流調整器２９、３０、３１に加え、各電流調整器２９、３０、３１に接続される全体電流調整器４０を接続し、この全体電流調整器４０により各電流調整器２９、３０、３１の電流値を調整できるようにしてもよい。
【００２８】
このようにすることで、各電流調整器２９、３０、３１の電流値の割合を維持したまま、これら電流調整器２９、３０、３１全体の電流値を全体電流調整器４０により調整できるようにすることで、各モジュール２２の色合いを変えることなく、全てのモジュール２２の光度のみを１つの全体電流調整器４０により簡単に調整することができる。
【００２９】
なお、上記実施形態では、一つのモジュール２２に、１個ずつの赤色ＬＥＤ２３と緑色ＬＥＤ２４及び６個の白色ＬＥＤ２５を設けたが、それらの数は、照明装置１３の用途や、照明する陳列商品の種類等に応じて適宜変更してもよいことは勿論である。
【００３０】
また、プリント基板１６やそれに実装されるモジュール２２の数も、商品陳列棚６の左右寸法に応じて適宜変更してもよい。
【００３１】
本発明の照明装置１３は、上記冷蔵オープンショーケースに限らず、通常の商品陳列棚等にも適用することができる。
【図面の簡単な説明】
【００３２】
【図１】本発明の照明装置を備える冷蔵オープンショーケースの縦断側面図である。
【図２】本発明の照明装置の下面図である。
【図３】図２のIII−III線に沿う拡大縦断側面図である。
【図４】モジュールの拡大下面図である。
【図５】ＬＥＤを発光させる回路のブロック図である。
【図６】ＬＥＤを発光させる回路の変形例としてのブロック図である。
【符号の説明】
【００３３】
１    冷蔵ショーケース
５    冷蔵室
１３  照明装置
１４  ケース
１８  放熱フィン
２０  凹溝
２１  透光板
２２  モジュール
２３  赤色ＬＥＤ
２４  緑色ＬＥＤ
２５  白色ＬＥＤ
２６  光度制御装置
２７  交流電源
２８  定電流電源
２９〜３１  電流調整器
４０  全体電流調整器
３２  アノード線
３３  電線
【図１】
2009240381.tif 000003
【図２】
2009240381.tif 000004
【図３】
2009240381.tif 000005
【図４】
2009240381.tif 000006
【図５】
2009240381.tif 000007
【図６】
2009240381.tif 000008